【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
行及び列を有するマトリクスに配置された複数の発光素子と、
前記発光素子の１つへ夫々結合され、前記列の夫々へ結合された回路ノードから前記結合された発光素子のためのプログラム可能な強さの供給電流を取り出す複数の第１の電流変調器と、
前記発光素子の所望の明度を表すビデオデータによって制御され、前記回路ノードへ、前記発光素子の少なくとも１つの所望の明度を表す強さを有する第１の電流を供給する電流源とを有し、
前記回路ノードは、前記電流源によって供給される前記強さが前記少なくとも１つの発光素子へ結合された前記第１の電流変調器によって前記回路ノードから取り出される場合に、特定の電圧レベルを有する、映像表示装置であって、
前記回路ノードへ第２の電流を供給する第２の電流変調器と、
前記回路ノードへ接続された第１の入力部と、常に前記特定の電圧レベルに保持された基準端子へ接続された第２の入力部とを有する比較器とを有し、
前記比較器の出力部は、前記第２の電流変調器の制御入力部へ接続され、
前記第２の電流変調器からの前記第２の電流は、前記回路ノードで前記特定の電圧レベルを得るように制御される、ことを特徴とする映像表示装置。
【請求項２】
前記比較器は、スイッチによって前記第２の電流変調器の制御入力部へ接続される出力部を有し、
蓄積コンデンサは、前記スイッチが開かれる場合に前記制御入力部を一定電圧に保つために前記制御入力部へ接続される、請求項１記載の表示装置。
【請求項３】
前記比較器は、前記回路ノードへ接続された反転入力部と、前記基準端子へ接続された非反転入力部とを有する演算増幅器である、請求項１又は２記載の表示装置。
【請求項４】
前記回路ノードへ接続された入力部と、前記基準端子へ接続された入力部とを有する第２の比較器と、
前記第１の電流変調器の中の１つの第１の電流変調器の制御入力部へ前記第２の比較器の出力部を選択的に接続する複数のスイッチとを更に有する、請求項１乃至３のうちいずれか一項記載の表示装置。
【請求項５】
行及び列を有するマトリクスに配置された複数の発光素子と、
前記発光素子の１つへ夫々結合され、前記列の夫々へ結合された回路ノードから前記結合された発光素子のためのプログラム可能な強さの供給電流を取り出す複数の第１の電流変調器と、
前記発光素子の所望の明度を表すビデオデータによって制御される電流源と、
前記回路ノードへ第２の電流を供給する第２の電流変調器とを有する表示装置を動作させる方法であって、
ａ）  前記電流源から前記回路ノードへ前記発光素子のうちの少なくとも第１の発光素子の所望の明度を表す第１の電流を供給するステップと、
ｂ）  前記回路ノードが特定の電圧レベルに達するように、前記発光素子のうちの前記少なくとも第１の発光素子へ結合された前記第１の電流変調器をプログラミングして、前記回路ノードから前記第１の電流を取り出すステップと、
ｃ）  前記電流源から前記第１の電流を供給することを中止するステップと、
ｄ）  前記回路ノードで前記特定の電圧レベルを回復するように、前記第２の電流変調器によって供給される前記第２の電流の強さを制御するステップとを有する方法。
【請求項６】
前記ステップａ）からｄ）は、前記発光素子のうちの少なくとも第２の発光素子に関して繰り返され、
前記ステップａ）及びｂ）を繰り返している間に、前記第２の電流の強さは、前のステップｄ）で設定された値に保たれる、請求項５記載の方法。
【請求項７】
前記ステップａ）からｄ）は、前記発光素子のうちの少なくとも１つの発光素子に関して繰り返され、
前記ステップａ）からｄ）が繰り返される前に、前記発光素子のうちの前記少なくとも１つの発光素子へ結合された前記第１の電流変調器は、前記回路ノードから電流を取り出さないようプログラミングされる、請求項５又は６記載の方法。
【手続補正２】
【補正対象書類名】明細書
【補正対象項目名】０００７
【補正方法】変更
【補正の内容】
【０００７】
上記目的は、行及び列を有するマトリクスに配置された複数の発光素子と、前記発光素子の１つへ夫々結合され、前記列の夫々へ結合された回路ノードから前記結合された発光素子のためのプログラム可能な強さの供給電流を取り出す複数の第１の電流変調器と、前記発光素子の所望の明度を表すビデオデータによって制御され、前記回路ノードへ、前記発光素子の少なくとも１つの所望の明度を表す強さを有する第１の電流を供給する電流源とを有し、前記回路ノードは、前記電流源によって供給される前記強さが前記少なくとも１つの発光素子へ結合された前記第１の電流変調器によって前記回路ノードから取り出される場合に、特定の電圧レベルを有する、映像表示装置であって、前記回路ノードへ第２の電流を供給する第２の電流変調器と、前記回路ノードへ接続された入力部、常に前記特定の電圧レベルに保持された基準端子へ接続された入力部、並びに、前記第２の電流変調器の制御入力部へ接続された出力部を有する比較器とを有し、前記第２の電流変調器からの前記第２の電流は、前記回路ノードで前記特定の電圧レベルを得るように制御される、ことを特徴とする映像表示装置によって達成される。
【手続補正３】
【補正対象書類名】明細書
【補正対象項目名】００１０
【補正方法】変更
【補正の内容】
【００１０】
望ましくは、当該表示装置の前記比較器は、スイッチによって前記第２の電流変調器の制御入力部へ接続される出力部を有し、蓄積コンデンサは、前記スイッチが開かれる場合に前記制御入力部を一定電圧に保つために前記制御入力部へ接続される。これにより、前記第２の電流変調器によって前記回路ノードへ供給される前記第２の電流は、スイッチが開かれようとも一定となる。
【手続補正４】
【補正対象書類名】明細書
【補正対象項目名】００１２
【補正方法】変更
【補正の内容】
【００１２】
更に、前記回路ノードへ接続された入力部、及び前記基準端子へ接続された入力部を有する第２の比較器と、前記第１の電流変調器の中の１つの第１の電流変調器の制御入力部へ前記第２の比較器の出力部を選択的に接続する複数のスイッチとが設けられても良い。
【手続補正５】
【補正対象書類名】明細書
【補正対象項目名】００１３
【補正方法】変更
【補正の内容】
【００１３】
また、上記目的は、行及び列を有するマトリクスに配置された複数の発光素子と、前記発光素子の１つへ夫々結合され、前記列の夫々へ結合された回路ノードから前記結合された発光素子のためのプログラム可能な強さの供給電流を取り出す複数の第１の電流変調器と、前記発光素子の所望の明度を表すビデオデータによって制御される電流源と、前記回路ノードへ第２の電流を供給する第２の電流変調器とを有する表示装置を動作させる方法であって、
ａ）  前記電流源から前記回路ノードへ前記発光素子のうちの少なくとも第１の発光素子の所望の明度を表す第１の電流を供給するステップと、
ｂ）  前記回路ノードが特定の電圧レベルに達するように、前記発光素子のうちの前記少なくとも第１の発光素子へ結合された前記第１の電流変調器をプログラミングして、前記回路ノードから前記第１の電流を取り出すステップと、
ｃ）  前記電流源から前記第１の電流を供給することを中止するステップと、
ｄ）  前記回路ノードで前記特定の電圧レベルを回復するように前記第２の電流の強さを制御するステップと、
を有する方法によって達成される。